(57)【特許請求の範囲】
【請求項１】
運転時に吹出口（１５）の前方に迫り出し、前記吹出口（１５）から吹き出される空気の方向を変更可能な上下風向調整羽根（３０）と、
運転停止時に所定位置に収納される補助羽根（１３０）と、
を備え、
前記補助羽根（１３０）は、運転時に水平状態に近い姿勢をとっているときの前記上下風向調整羽根（３０）の後端と前記吹出口（１５）との間の隙間を小さくする、
空調室内機（１０）。
【請求項２】
前記補助羽根（１３０）は、運転停止時に前記上下風向調整羽根（３０）の上側に収納される、
請求項１に記載の空調室内機（１０）。
【請求項３】
前記上下風向調整羽根（３０）は、運転停止時に前記吹出口（１５）を閉じる閉位置に移動し、
前記補助羽根（１３０）は、前記上下風向調整羽根（３０）が前記閉位置に到達する前に、前記閉位置より上側に移動する、
請求項２に記載の空調室内機（１０）。
【請求項４】
前記補助羽根（１３０）は、前記吹出口（１５）近傍に回動可能に支持され、運転停止の際、前記上下風向調整羽根（３０）の前記閉位置における姿勢とほぼ平行となる位置まで回動する、
請求項３に記載の空調室内機（１０）。
【発明の詳細な説明】
【技術分野】
【０００１】
本発明は、空調室内機に関する。
【背景技術】
【０００２】
空調室内機の吹出口から吹き出される空気は、吹出口近傍に配置された上下風向調整羽根によって吹き出し方向の変更が可能である。例えば、特許文献１（特開２０１１−３３２９９号公報）に開示されている室内機では、運転時、上下風向調整羽根は吹出口の前方へ迫り出し、吹出口の開口面に対してほぼ平行な第１開状態、及びその開口面に対して所定角度傾斜する第２開状態のいずれかの状態になり、空気調和された空気を狙いの方向へ吹き出す。
【発明の概要】
【発明が解決しようとする課題】
【０００３】
しかしながら、運転時に上下風向調整羽根が吹出口の開口面に対して平行になると、吹き出し空気が上下風向調整羽根後端と吹出口との隙間から後方に漏れ易くなる。漏れた空気は、吹出口後方の壁に当たるので、壁を汚す可能性がある。
【０００４】
本発明の課題は、上下風向調整羽根の後端と吹出口との隙間から吹き出し空気が漏れることを抑制した空調室内機を提供することにある。
【課題を解決するための手段】
【０００５】
本発明の第１観点に係る空調室内機は、上下風向調整羽根と、補助羽根とを備えている。上下方向調整羽根は、運転時に吹出口の前方に迫り出し、吹出口から吹き出される空気の方向を変更可能である。補助羽根は、水平状態に近い姿勢をとっているときの上下風向調整羽根の後端と吹出口との間の隙間を小さくする。また、補助羽根は、運転停止時に所定位置に収納される。
【０００６】
この空調室内機では、上下風向調整羽根の後端と吹出口との隙間から吹出口の後方に漏れる空気が、補助羽根によって遮られ補助羽根の傾きに沿って流れるようになる。その結果、吹き出し空気によって壁が汚れるという現象が抑制される。
【０００７】
また、上下風向調整羽根が吹出口の前方に迫り出すので、吹き出し空気が吹出口の後方に漏れ易くなるが、第１観点に記載の補助羽根が適用されることにより、漏れようとする空気が、補助羽根によって遮られ補助羽根の傾きに沿って流れるようになる。その結果、吹き出し空気によって壁が汚れるという現象が抑制される。
【０００８】
本発明の第２観点に係る空調室内機は、第１観点に係る空調室内機であって、補助羽根が、運転停止時に上下風向調整羽根の上側に収納される。
【０００９】
この空調室内機では、運転停止時に、補助羽根は上下風向調整羽根で覆われ外部から見えないので、補助羽根によって空調室内機の見栄えが損なわれる、という事態は回避される。
【００１０】
本発明の第３観点に係る空調室内機は、第２観点に係る空調室内機であって、上下風向調整羽根が運転停止時に吹出口を閉じる閉位置に移動する。補助羽根は、上下風向調整羽根が閉位置に到達する前に、閉位置より上側に移動する。
【００１１】
この空調室内機では、補助羽根が上下風向調整羽根の閉位置より上側に移動するので、上下方向調整羽根及び補助羽根が同一空間に収納されることが可能となり、省スペース化が図られる。
【００１２】
本発明の第４観点に係る空調室内機は、第３観点に係る空調室内機であって、補助羽根が、吹出口近傍に回動可能に支持され、運転停止の際、上下風向調整羽根の閉位置における姿勢とほぼ平行となる位置まで回動する。
【００１３】
この空調室内機では、運転停止の際、上下風向調整羽根の閉位置における姿勢とほぼ平行となる位置まで回動するので、吹出口内に配置される他の部材との干渉を最小限に止めることができる。
【発明の効果】
【００１４】
本発明の第１観点に係る空調室内機では、上下風向調整羽根の後端と吹出口との隙間から吹出口の後方に漏れる空気が、補助羽根によって遮られ補助羽根の傾きに沿って流れるので、吹き出し空気によって壁が汚れるという現象が抑制される。
【００１５】
本発明の第２観点に係る空調室内機では、運転停止時に、補助羽根は上下風向調整羽根で覆われ外部から見えないので、補助羽根によって空調室内機の見栄えが損なわれる、という事態は回避される。
【００１６】
本発明の第３観点に係る空調室内機では、補助羽根が上下風向調整羽根の閉位置より上側に移動するので、上下方向調整羽根及び補助羽根が同一空間に収納されることが可能となり、省スペース化が図られる。
【００１７】
本発明の第４観点に係る空調室内機では、運転停止の際、上下風向調整羽根の閉位置における姿勢とほぼ平行となる位置まで回動するので、吹出口内に配置される他の部材との干渉を最小限に止めることができる。
【図面の簡単な説明】
【００１８】
【図１】本発明の一実施形態に係る空調室内機であって、運転時の当該空調室内機の斜視図。
【図２】図１に係る空調室内機であって、運転停止時の当該空調室内機の断面図。
【図３】上下風向調整羽根が吹出口を開けたときの空調室内機下部の側面図。
【図４】暖房運転時に採られる下吹き姿勢の上下風向調整羽根側面図。
【図５】暖房運転時に採られる上吹き姿勢の上下風向調整羽根側面図。
【発明を実施するための形態】
【００１９】
以下、図面を参照しながら、本発明の実施形態について説明する。なお、以下の実施形態は、本発明の具体例であって、本発明の技術的範囲を限定するものではない。
【００２０】
（１）空調室内機１０の構成
図１は、本発明の一実施形態に係る空調室内機１０であって、運転時の当該空調室内機１０の斜視図である。また、図２は、図１に係る空調室内機１０であって、運転停止時の当該空調室内機１０の断面図である。
【００２１】
図１及び図２において、空調室内機１０は壁掛式の室内機であって、室内熱交換器１１、室内ファン１２、本体ケーシング１３、底フレーム１７、フィルタ２５及び制御部４０が搭載されている。
【００２２】
本体ケーシング１３は、前面グリル１３ａ、前面パネル１３ｂ及び背面板１３ｃによって立体空間を形成し、その立体空間内に室内熱交換器１１、室内ファン１２、底フレーム１７、フィルタ２５、及び制御部４０が収まっている。前面パネル１３ｂは、前面グリル１３ａの前面を覆っており、上端が前面グリル１３ａに回動自在に支持され、ヒンジ式に動作することができる。また、本体ケーシング１３は、取付板（図示せず）を介して壁に装着される。
【００２３】
室内熱交換器１１及び室内ファン１２は、底フレーム１７に取り付けられている。室内熱交換器１１は、通過する空気との間で熱交換を行う。また、室内熱交換器１１は、側面視において両端が下方に向いて屈曲する逆Ｖ字状の形状を成し、その下方に室内ファン１２が位置する。室内ファン１２は、クロスフローファンであり、室内から取り込んだ空気を、室内熱交換器１１に当てて通過させた後、室内に吹き出す。
【００２４】
本体ケーシング１３の下面部には、吹出口１５が設けられている。吹出口１５には、吹出口１５から吹き出される空気を案内する上下風向調整羽根３０が回動自在に取り付けられている。上下風向調整羽根３０は、モータ（図示せず）によって駆動し、空気の吹出方向を変更するだけでなく、吹出口１５を開閉することもできる。吹出口１５は、吹出流路１８によって本体ケーシング１３の内部と繋がっており、吹出流路１８は吹出口１５から底フレーム１７に沿って形成されている。
【００２５】
また、吹出流路１８には、図２に示すように、垂直羽根２０が配置されている。垂直羽根２０は、吹き出し空気を少なくとも本体ケーシング１３の正面または側面のいずれかの方向に仕向けることができる。
【００２６】
本体ケーシング１３の前面グリル１３ａと室内熱交換器１１との間にはフィルタ２５が配置されている。フィルタ２５は、室内熱交換器１１に向って流入してくる空気に含まれる塵埃を除去する。
【００２７】
前面グリル１３ａの前上部には、吸込口２２が設けられている。吸込口２２近傍の室内空気は、室内ファン１２の稼動によって吸込口２２、フィルタ２５及び室内熱交換器１１を経て室内ファン１２に吸い込まれ、室内ファン１２から吹出流路１８を経て吹出口１５から吹き出される。
【００２８】
制御部４０は、本体ケーシング１３の前方部分に収まっており、室内ファン１２の回転数制御、吹出口１５の開度調節などを行う。なお、吹出口１５の開度調節は、上下風向調整羽根３０と補助羽根１３０とを介して行なわれる。
【００２９】
（２）詳細構成
（２−１）垂直羽根２０
垂直羽根２０は、図１に示すように、複数の羽根片２０１と、複数の羽根片２０１を連結する連結棒２０３を有している。また、垂直羽根２０は、図２に示すように、吹出流路１８において、閉位置における上下風向調整羽根３０の第２面３０ｂよりも室内ファン１２近傍に配置されている。
【００３０】
羽根片２０１は、吹出流路１８の室内ファン１２側から吹出口１５側に向って徐々に面積が拡大する板片であり、吹出口１５側に連結棒２０３が挿入されるスリット孔２０１ａが形成され、室内ファン１２側の端部には本体ケーシング１３内部に支持される支持部２０１ｂが形成されている。また、羽根片２０１には、中央部から支持部２０１ｂに向って延びる２つのスリット２０１ｃが形成されている。
【００３１】
複数枚の羽根片２０１は、連結棒２０３が吹出口１５の長手方向に沿って水平往復移動することによって、本体ケーシング１３の長手方向に対して垂直な状態を中心に左右に揺動する。なお、連結棒２０３は、モータ（図示せず）によって水平往復移動する。
【００３２】
羽根片２０１は揺動だけでなく、揺動した後にモータが停止することによって任意の角度で止まることができる。それゆえ、羽根片２０１は、吹出口１５からの空気の吹き出し状態を本体ケーシング１３の正面側に吹き出す第１状態（図１参照）と、本体ケーシング１３の側面側に吹き出す第２状態のいずれかに切り換え可能である。
【００３３】
（２−２）上下風向調整羽根３０
上下風向調整羽根３０は、図１及び図２に示すように略長方形を成す板状部材であり、空調室内機１０が運転を停止しているときは、吹出口１５の開口を覆う位置（以後、閉位置とよぶ）で待機する。上下風向調整羽根３０の閉位置において外部から視認することができる第１面３０ａは、本体ケーシング１３の下面の一部を担っている。
【００３４】
また、上下風向調整羽根３０の第１面３０ａの裏面である第２面３０ｂには、第１前方連結部３１１、第２前方連結部３１２、及び第３前方連結部３１３が設けられている（図１参照）。第１前方連結部３１１、第２前方連結部３１２、及び第３前方連結部３１３は、上下風向調整羽根３０の閉位置において第２面３０ｂの前方端側で、第２面３０ｂの長手方向に沿ってほぼ等間隔で配置されている。
【００３５】
さらに、上下風向調整羽根３０の第２面３０ｂには、第１後方連結部３２１、及び第２後方連結部３２２が設けられている。第１後方連結部３２１、及び第２後方連結部３２２は、上下風向調整羽根３０の閉位置において第２面３０ｂの後方端側で、第２面３０ｂの長手方向中央部に配置されている。
【００３６】
第１前方連結部３１１、第２前方連結部３１２、及び第３前方連結部３１３それぞれには、円弧状のラック部材４６の一端が連結される。ラック部材４６は、凸側面にラックアンドピニオン機構のラック４６ａが形成されており、ラック部材４６はラック４６ａを吹出口１５の斜め上方に向けた姿勢をとる。
【００３７】
また、図１に示すように、第１後方連結部３２１、及び第２後方連結部３２２それぞれには、折り畳み可能なリンク部材４７の一端が連結されている。リンク部材４７は、２つの棒状部材の端部同士が回転自在に接合された構成である。リンク部材４７の２つの棒状部材のうち節４７ｃの上側を上リンク４７ａ、下側を下リンク４７ｂとよぶ。
【００３８】
図３は、上下風向調整羽根３０が吹出口１５を開けたときの空調室内機１０下部の側面図である。図３において、本体ケーシング１３の内部には、第１ステッピングモータ５１が搭載されており、第１ステッピングモータ５１の回転軸にはピニオンギア５１ａが取り付けられている。ピニオンギア５１ａはラック４６ａと噛み合っており、第１ステッピングモータ５１がピニオンギア５１ａを図３正面視で時計方向に回転させることによって、ラック部材４６が吹出口１５の前方に向って移動し、上下風向調整羽根３０の前部が吹出口１５の前方に向って迫り出す。これを、第１ステッピングモータ５１の第１動作とよぶ。
【００３９】
逆に、第１ステッピングモータ５１がピニオンギア５１ａを図３正面視で反時計方向に回転させることによって、ラック部材４６が本体ケーシング１３の奥側に向って後退する。これを、第１ステッピングモータ５１の第２動作とよぶ。
【００４０】
さらに、本体ケーシング１３の内部には、第２ステッピングモータ５２が搭載されており、第２ステッピングモータ５２の回転軸には駆動ギア５２ａが取り付けられている。また、リンク部材４７の上リンク４７ａの端部に被駆動ギア４８が設けられており、第２ステッピングモータ５２が駆動ギア５２ａを介して被駆動ギア４８を図３正面視の時計方向に回転させることによって、節４７ｃを中心に上リンク４７ａと下リンク４７ｂとが成す中心角が拡大し、上下風向調整羽根３０の後部が吹出口１５の前方に向って迫り出す。これを、第２ステッピングモータ５２の第１動作とよぶ。
【００４１】
逆に、駆動ギア５２ａが被駆動ギア４８を図３正面視の反時計方向に回転させることによって、節４７ｃを中心に上リンク４７ａと下リンク４７ｂとが成す中心角が縮小し、上下風向調整羽根３０の後部が吹出口１５に向って後退する。これを、第２ステッピングモータ５２の第２動作とよぶ。
【００４２】
したがって、第１ステッピングモータ５１の第１動作と第２ステッピングモータ５２の第１動作とが、同時または連続して実行されることによって、上下風向調整羽根３０が吹出口１５の前方に向って迫り出す。また、第１ステッピングモータ５１の第２動作と第２ステッピングモータ５２の第２動作とが、同時または連続して実行されることによって、上下風向調整羽根３０が吹出口１５に向って後退する。
【００４３】
なお、図３で示した上下風向調整羽根３０の姿勢は、除湿運転時などに採られる上下吹き姿勢であるが、この他、第１ステッピングモータ５１の第１動作、第２動作、第２ステッピングモータ５２の第１動作、及び第２動作の組み合わせによって、さまざまの形態をとり得る。以下、代表的な姿勢について図面を参照しながら説明する。
【００４４】
図４は、暖房運転時に採られる下吹き姿勢の上下風向調整羽根３０の側面図である。また、図５は、暖房運転時に採られる上吹き姿勢の上下風向調整羽根３０の側面図である。図４において、上下風向調整羽根３０の暖房運転時の下吹き姿勢は、閉位置を基準とした場合、第１ステッピングモータ５１がピニオンギア５１ａを図３正面視で時計方向に角度Ａ１だけ回転させ、第２ステッピングモータ５２が被駆動ギア４８を図３正面視の時計方向に角度Ｂ１だけ回転させることによって、実現される。
【００４５】
また、図５において、上下風向調整羽根３０の暖房運転時の上吹き姿勢は、閉位置を基準とした場合、第１ステッピングモータ５１がピニオンギア５１ａを図３正面視で時計方向に角度Ａ１だけ回転させ、第２ステッピングモータ５２が被駆動ギア４８を図３正面視の時計方向に角度Ｂ２だけ回転させることによって、実現される。なお、角度Ｂ２≧角度Ｂ１である。
【００４６】
（２−３）補助羽根１３０
図１において、吹出口１５の後部に、その長辺と平行な回動軸を有する２つの補助羽根１３０が設けられている。２つの補助羽根１３０は、吹出口１５の長手方向に沿って隣接している。
【００４７】
本体ケーシング１３のうち吹出口１５の中央部と対峙する位置に、補助羽根１３０の回動軸の一端を支持する２つの中央支持部１３１が設けられている。また、本体ケーシング１３のうち吹出口１５の後部コーナーには、補助羽根１３０の回動軸の他方の端を支持する側方支持部１３２が設けられている。
【００４８】
また、図２に示すように、上下風向調整羽根３０が閉位置にあるとき、補助羽根１３０は上下風向調整羽根３０の上方に、上下風向調整羽根３０とほぼ平行な姿勢で収納されており、外部からは見えない。このとき、補助羽根１３０は、上下風向調整羽根３０の第２面３０ｂと重なるように近接しているので、補助羽根１３０が吹出流路１８を占有する空間は小さく、吹出口１５周辺および吹出流路１８に配置されている他の部材（例えば、垂直羽根２０）との干渉が最小限に抑えられている。
【００４９】
また、上下風向調整羽根３０が図３に示すような除湿運転時などにおける上下吹き姿勢を採るとき、補助羽根１３０の先端が上下風向調整羽根３０の後端に向くように回動する。出願人の研究によれば、上下風向調整羽根３０が上下吹き姿勢を採るとき、吹出口１５からの吹き出し空気は、上下風向調整羽根３０の第２面３０ｂに当たって、斜め上方に向う空気と、斜め下方に向う空気とに分かれる。但し、上下風向調整羽根３０の後端と吹出口１５との隙間が大きいので、斜め下方に向う空気の一部が吹出口１５後方の壁（空調室内機１０が取り付けられる壁）に向って流れ、壁面を汚す原因になる。
【００５０】
本実施形態の場合、上下風向調整羽根３０の後端と吹出口１５との隙間に補助羽根１３０が介在するようになるので、その隙間を通過して後方へ漏れ出ようとする吹き出し空気を補助羽根１３０が遮る。その結果、吹き出し空気による壁面の汚れが防止される。
【００５１】
また、上下風向調整羽根３０が図４に示すような暖房運転における下吹き姿勢を採るとき、若しくは、図５に示すような暖房運転における上吹き姿勢を採るとき、補助羽根１３０は、上下風向調整羽根３０とほぼ平行になるように回動する。この場合、補助羽根１３０は後方へ漏れ出ようとする吹き出し空気を遮るだけでなく、その吹き出し空気を上下風向調整羽根３０と平行な方向へ導く。
【００５２】
（３）特徴
（３−１）
空調室内機１０では、上下風向調整羽根３０が吹出口１５の前方に迫り出し水平状態に近い姿勢をとっているとき、補助羽根１３０が上下風向調整羽根３０の後端と吹出口１５との間の隙間を小さくするので、上下風向調整羽根３０の後端と吹出口１５との隙間から吹出口１５の後方に漏れる空気が、補助羽根１３０によって遮られ補助羽根１３０の傾きに沿って流れるようになる。その結果、吹き出し空気によって壁が汚れるという現象が抑制される。
【００５３】
（３−２）
また、補助羽根１３０は運転停止時に上下風向調整羽根３０の上側に収納されるので、補助羽根１３０が上下風向調整羽根３０で覆われて外部から見えない。それゆえ、補助羽根１３０によって空調室内機の見栄えが損なわれる、という事態は回避される。
【００５４】
（３−３）
また、補助羽根１３０は、上下風向調整羽根３０が閉位置に到達する前に、上下風向調整羽根３０の閉位置より上側に移動するので、上下方向調整羽根３０及び補助羽根１３０が同一空間に収納されることが可能となり、省スペース化が図られる。
【００５５】
（３−４）
また、補助羽根１３０は、吹出口１５近傍に回動可能に支持され、運転停止の際、上下風向調整羽根３０の閉位置における姿勢とほぼ平行となる位置まで回動するので、吹出口１５内に配置される他の部材（例えば、垂直羽根２０）との干渉が最小限に抑えられる。
【産業上の利用可能性】
【００５６】
以上のように、本発明によれば、補助羽根１３０は、吹き出し空気が吹出口１５からその後方に向って流れることを抑制するので、吹き出し空気を所定の方向に流したくないモードが必要な空調機器に有用である。
【符号の説明】
【００５７】
１０    空調室内機
１５    吹出口
３０    上下風向調整羽根
１３０  補助羽根
【先行技術文献】
【特許文献】
【００５８】
【特許文献１】特開２０１１−３３２９９号公報
【図１】
0005375900.tif 000002
【図２】
0005375900.tif 000003
【図３】
0005375900.tif 000004
【図４】
0005375900.tif 000005
【図５】
0005375900.tif 000006